(57)【要約】異なる電力クラスの基地局（ＢＳ）が存在する場合、制御チャネルとデータ・チャネルとの両方において、ユーザ機器（ＵＥ）への干渉を低減するために、異なるＢＳからの送信を調整する必要がありうる。異なる調整方法が存在する。いくつかの実施形態については、時分割多重（ＴＤＭ）リソース分割が、サブフレーム・レベルにおいて、複数のＢＳに対して実行されうる。ＴＤＭリソース分割は、制御チャネル干渉を回避しうる。なぜなら、制御チャネルのための時間および周波数におけるリソース・マッピングは、周波数領域全体に及びうるからである。しかしながら、ＵＥのデータ・レートは、サブフレームのＴＤＭ分割によって制限されうる。言い換えれば、制限は、制御チャネル干渉調整に由来しうる。いくつかの実施形態については、ＵＥは、ＵＥのために分割されたサブフレームとは別のサブフレームで送信および／または受信しうる。
2013534778.tif 000002
【特許請求の範囲】
【請求項１】
無線通信のための方法であって、
サービス提供しているノードＢと、１または複数のサービス提供していないノードＢとの間でのリソースの協調的な分割によって保護されているサブフレームを識別することと、
前記１または複数のサービス提供していないノードＢに割り当てられたサブフレームのサブセットにおけるダウンリンク送信に関する許可メッセージを、前記サービス提供しているノードＢに割り当てられたサブフレームで送信することと、
前記サブフレームのサブセットで送信されるべき、ユーザ機器（ＵＥ）によって利用可能な１または複数の基準信号を識別することと、
を備える方法。
【請求項２】
測定、復調、および復号のうちの少なくとも１つを実行するために、前記１または複数の基準信号を用いるように、レイヤ３シグナリングまたはレイヤ１シグナリングのうちの少なくとも１つによって、前記ＵＥに対してシグナリングすること、をさらに備える請求項１に記載の方法。
【請求項３】
前記１または複数の基準信号は連続的である、請求項１に記載の方法。
【請求項４】
無線通信のための装置であって、
サービス提供しているノードＢと、１または複数のサービス提供していないノードＢとの間でのリソースの協調的な分割によって保護されているサブフレームを識別する手段と、
前記１または複数のサービス提供していないノードＢに割り当てられたサブフレームのサブセットにおけるダウンリンク送信に関する許可メッセージを、前記サービス提供しているノードＢに割り当てられたサブフレームで送信する手段と、
前記サブフレームのサブセットで送信されるべき、ユーザ機器（ＵＥ）によって利用可能な１または複数の基準信号を識別する手段と、
を備える装置。
【請求項５】
測定、復調、および復号のうちの少なくとも１つを実行するために、前記１または複数の基準信号を用いるように、レイヤ３シグナリングまたはレイヤ１シグナリングのうちの少なくとも１つによって、前記ＵＥに対してシグナリングする手段、をさらに備える請求項４に記載の装置。
【請求項６】
前記１または複数の基準信号は連続的である、請求項４に記載の装置。
【請求項７】
無線通信のための装置であって、
サービス提供しているノードＢと、１または複数のサービス提供していないノードＢとの間でのリソースの協調的な分割によって保護されているサブフレームを識別し、
前記１または複数のサービス提供していないノードＢに割り当てられたサブフレームのサブセットにおけるダウンリンク送信に関する許可メッセージを、前記サービス提供しているノードＢに割り当てられたサブフレームで送信し、
前記サブフレームのサブセットで送信されるべき、ユーザ機器（ＵＥ）によって利用可能な１または複数の基準信号を識別する、
ように構成された少なくとも１つのプロセッサと、
前記少なくとも１つのプロセッサに接続されたメモリと、
を備える装置。
【請求項８】
前記少なくとも１つのプロセッサは、測定、復調、および復号のうちの少なくとも１つを実行するために、前記１または複数の基準信号を用いるように、レイヤ３シグナリングまたはレイヤ１シグナリングのうちの少なくとも１つによって、前記ＵＥに対してシグナリングするように構成された、請求項７に記載の装置。
【請求項９】
前記１または複数の基準信号は連続的である、請求項７に記載の装置。
【請求項１０】
無線通信のためのコンピュータ・プログラム製品であって、
サービス提供しているノードＢと、１または複数のサービス提供していないノードＢとの間でのリソースの協調的な分割によって保護されているサブフレームを識別することと、
前記１または複数のサービス提供していないノードＢに割り当てられたサブフレームのサブセットにおけるダウンリンク送信に関する許可メッセージを、前記サービス提供しているノードＢに割り当てられたサブフレームで送信することと、
前記サブフレームのサブセットで送信されるべき、ユーザ機器（ＵＥ）によって利用可能な１または複数の基準信号を識別することと、
のためのコードを有するコンピュータ読取可能な媒体を備える、コンピュータ・プログラム製品。
【請求項１１】
測定、復調、および復号のうちの少なくとも１つを実行するために、前記１または複数の基準信号を用いるように、レイヤ３シグナリングまたはレイヤ１シグナリングのうちの少なくとも１つによって、前記ＵＥに対してシグナリングすること、のためのコードをさらに備える、請求項１０に記載のコンピュータ・プログラム製品。
【請求項１２】
前記１または複数の基準信号は連続的である、請求項１０に記載のコンピュータ・プログラム製品。
【請求項１３】
無線通信のための方法であって、
１または複数のサービス提供していないノードＢに割り当てられたサブフレームのサブセットにおけるダウンリンク送信に関する許可メッセージを、サービス提供しているノードＢに割り当てられたサブフレームで受信することと、
前記サブフレームのサブセットで受信されるべき、ユーザ機器（ＵＥ）によって利用可能な１または複数の基準信号を示す信号を受信することと、
を備える方法。
【請求項１４】
前記１または複数の基準信号を用いて、前記サブフレームのサブセットにおけるラジオ・リソース管理（ＲＲＭ）測定を実行すること、をさらに備える請求項１３に記載の方法。
【請求項１５】
前記サブフレームのサブセットにおいて、前記サービス提供しているノードＢからのダウンリンクを復調および復号するために、前記１または複数の基準信号を用いてチャネル推定を実行すること、をさらに備える請求項１３に記載の方法。
【請求項１６】
前記信号を受信することは、レイヤ３シグナリングまたはレイヤ１シグナリングのうちの少なくとも１つによって前記信号を受信することを備える、請求項１３に記載の方法。
【請求項１７】
前記１または複数の基準信号は連続的である、請求項１３に記載の方法。
【請求項１８】
無線通信のための装置であって、
１または複数のサービス提供していないノードＢに割り当てられたサブフレームのサブセットにおけるダウンリンク送信に関する許可メッセージを、サービス提供しているノードＢに割り当てられたサブフレームで受信する手段と、
前記サブフレームのサブセットで受信されるべき、ユーザ機器（ＵＥ）によって利用可能な１または複数の基準信号を示す信号を受信する手段と、
を備える装置。
【請求項１９】
前記１または複数の基準信号を用いて、前記サブフレームのサブセットにおけるラジオ・リソース管理（ＲＲＭ）測定を実行する手段、をさらに備える請求項１８に記載の装置。
【請求項２０】
前記サブフレームのサブセットにおいて、前記サービス提供しているノードＢからのダウンリンクを復調および復号するために、前記１または複数の基準信号を用いてチャネル推定を実行する手段、をさらに備える請求項１８に記載の装置。
【請求項２１】
前記信号を受信する手段は、レイヤ３シグナリングまたはレイヤ１シグナリングのうちの少なくとも１つによって前記信号を受信する手段を備える、請求項１８に記載の装置。
【請求項２２】
前記１または複数の基準信号は連続的である、請求項１８に記載の装置。
【請求項２３】
無線通信のための装置であって、
１または複数のサービス提供していないノードＢに割り当てられたサブフレームのサブセットにおけるダウンリンク送信に関する許可メッセージを、サービス提供しているノードＢに割り当てられたサブフレームで受信し、
前記サブフレームのサブセットで受信されるべき、ユーザ機器（ＵＥ）によって利用可能な１または複数の基準信号を示す信号を受信する、
ように構成された少なくとも１つのプロセッサと、
前記少なくとも１つのプロセッサに接続されたメモリと、
を備える装置。
【請求項２４】
前記少なくとも１つのプロセッサは、前記１または複数の基準信号を用いて、前記サブフレームのサブセットにおけるラジオ・リソース管理（ＲＲＭ）測定を実行するように構成された、請求項２３に記載の装置。
【請求項２５】
前記少なくとも１つのプロセッサは、前記サブフレームのサブセットにおいて、前記サービス提供しているノードＢからのダウンリンクを復調および復号するために、前記１または複数の基準信号を用いてチャネル推定を実行するように構成された、請求項２３に記載の装置。
【請求項２６】
前記信号を受信するように構成された少なくとも１つのプロセッサは、レイヤ３シグナリングまたはレイヤ１シグナリングのうちの少なくとも１つによって前記信号を受信することを備える、請求項２３に記載の装置。
【請求項２７】
前記１または複数の基準信号は連続的である、請求項２３に記載の装置。
【請求項２８】
無線通信のためのコンピュータ・プログラム製品であって、
１または複数のサービス提供していないノードＢに割り当てられたサブフレームのサブセットにおけるダウンリンク送信に関する許可メッセージを、サービス提供しているノードＢに割り当てられたサブフレームで受信することと、
前記サブフレームのサブセットで受信されるべき、ユーザ機器（ＵＥ）によって利用可能な１または複数の基準信号を示す信号を受信することと、
のためのコードを有するコンピュータ読取可能な媒体を備える、コンピュータ・プログラム製品。
【請求項２９】
前記１または複数の基準信号を用いて、前記サブフレームのサブセットにおけるラジオ・リソース管理（ＲＲＭ）測定を実行するためのコードをさらに備える、請求項２８に記載のコンピュータ・プログラム製品。
【請求項３０】
前記サブフレームのサブセットにおいて、前記サービス提供しているノードＢからのダウンリンクを復調および復号するために、前記１または複数の基準信号を用いてチャネル推定を実行するためのコードをさらに備える、請求項２８に記載のコンピュータ・プログラム製品。
【請求項３１】
前記信号を受信するためのコードは、レイヤ３シグナリングまたはレイヤ１シグナリングのうちの少なくとも１つによって前記信号を受信するためのコードを備える、請求項２８に記載のコンピュータ・プログラム製品。
【請求項３２】
前記１または複数の基準信号は連続的である、請求項２８に記載のコンピュータ・プログラム製品。
【発明の詳細な説明】
【関連出願に対する相互参照】
【０００１】
本願は、全体が参照によって本明細書に明確に組み込まれている２０１０年６月２３日出願の米国仮出願６１／３５７，８７８号に対する優先権を主張する。
【技術分野】
【０００２】
本開示は、一般に、通信に関し、さらに詳しくは、無線通信ネットワークにおける通信をサポートするための技術に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。
【０００４】
このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００５】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００６】
基地局は、ダウンリンクでＵＥへデータおよび制御情報を送信し、および／または、アップリンクでＵＥからデータおよび制御情報を受信しうる。ダウンリンクにおいては、基地局からの送信が、近隣の基地局からの送信による干渉を観察しうる。アップリンクにおいては、ＵＥからの送信が、近隣の基地局と通信する他のＵＥからの送信への干渉をもたらしうる。この干渉は、ダウンリンクとアップリンクとの両方のパフォーマンスを低下させうる。
【発明の概要】
【０００７】
本開示の態様では、無線通信のための方法が提供される。この方法は一般に、サービス提供しているノードＢと、１または複数のサービス提供していないノードＢとの間でのリソースの協調的な分割によって保護されているサブフレームを識別することと、１または複数のサービス提供していないノードＢに割り当てられたサブフレームのサブセットにおけるダウンリンク送信に関する許可メッセージを、サービス提供しているノードＢに割り当てられたサブフレームで送信することと、サブフレームのサブセットで送信されるべき、ユーザ機器（ＵＥ）によって利用可能な１または複数の基準信号を、識別することと、を含む。
【０００８】
本開示の態様では、無線通信のための装置が提供される。この装置は一般に、サービス提供しているノードＢと、１または複数のサービス提供していないノードＢとの間でのリソースの協調的な分割によって保護されているサブフレームを識別する手段と、１または複数のサービス提供していないノードＢに割り当てられたサブフレームのサブセットにおけるダウンリンク送信に関する許可メッセージを、サービス提供しているノードＢに割り当てられたサブフレームで送信する手段と、サブフレームのサブセットで送信されるべき、ユーザ機器（ＵＥ）によって利用可能な１または複数の基準信号を識別する手段と、を含む。
【０００９】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、サービス提供しているノードＢと、１または複数のサービス提供していないノードＢとの間でのリソースの協調的な分割によって保護されているサブフレームを識別し、１または複数のサービス提供していないノードＢに割り当てられたサブフレームのサブセットにおけるダウンリンク送信に関する許可メッセージを、サービス提供しているノードＢに割り当てられたサブフレームで送信し、サブフレームのサブセットで送信されるべき、ユーザ機器（ＵＥ）によって利用可能な１または複数の基準信号を識別する、ように構成される。
【００１０】
本開示の態様では、無線通信のためのコンピュータ・プログラム製品が提供される。このコンピュータ・プログラム製品は一般に、サービス提供しているノードＢと、１または複数のサービス提供していないノードＢとの間でのリソースの協調的な分割によって保護されているサブフレームを識別することと、１または複数のサービス提供していないノードＢに割り当てられたサブフレームのサブセットにおけるダウンリンク送信に関する許可メッセージを、サービス提供しているノードＢに割り当てられたサブフレームで送信することと、サブフレームのサブセットで送信されるべき、ユーザ機器（ＵＥ）によって利用可能な１または複数の基準信号を識別することと、のためのコードを有するコンピュータ読取可能な媒体を含む。
【００１１】
本開示の態様では、無線通信のための方法が提供される。この方法は一般に、１または複数のサービス提供していないノードＢに割り当てられたサブフレームのサブセットにおけるダウンリンク送信に関する許可メッセージを、サービス提供しているノードＢに割り当てられたサブフレームで受信することと、サブフレームのサブセットで受信されるべき、ユーザ機器（ＵＥ）によって利用可能な１または複数の基準信号を示す信号を受信することと、を含む。
【００１２】
本開示の態様では、無線通信のための装置が提供される。この装置は一般に、１または複数のサービス提供していないノードＢに割り当てられたサブフレームのサブセットにおけるダウンリンク送信に関する許可メッセージを、サービス提供しているノードＢに割り当てられたサブフレームで受信する手段と、サブフレームのサブセットで受信されるべき、ユーザ機器（ＵＥ）によって利用可能な１または複数の基準信号を示す信号を受信する手段と、を含む。
【００１３】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、１または複数のサービス提供していないノードＢに割り当てられたサブフレームのサブセットにおけるダウンリンク送信に関する許可メッセージを、サービス提供しているノードＢに割り当てられたサブフレームで受信し、サブフレームのサブセットで受信されるべき、ユーザ機器（ＵＥ）によって利用可能な１または複数の基準信号を示す信号を受信する、ように構成される。
【００１４】
本開示の態様では、無線通信のためのコンピュータ・プログラム製品が提供される。このコンピュータ・プログラム製品は一般に、１または複数のサービス提供していないノードＢに割り当てられたサブフレームのサブセットにおけるダウンリンク送信に関する許可メッセージを、サービス提供しているノードＢに割り当てられたサブフレームで受信することと、サブフレームのサブセットで受信されるべき、ユーザ機器（ＵＥ）によって利用可能な１または複数の基準信号を示す信号を受信することと、のためのコードを有するコンピュータ読取可能な媒体を含む。
【図面の簡単な説明】
【００１５】
【図１】図１は、本開示のある態様にしたがう無線通信ネットワークの例を概念的に例示するブロック図である。
【図２】図２は、本開示のある態様にしたがう無線通信ネットワークにおいて、ユーザ機器デバイス（ＵＥ）と通信しているノードＢの例を概念的に例示するブロック図である。
【図３】図３は、本開示のある態様にしたがう無線通信ネットワークにおけるフレーム構造の例を概念的に例示するブロック図である。
【図４】図４は、本開示のある態様にしたがって、通常のサイクリック・プレフィクスを用いたダウンリンクのための２つの典型的なサブフレーム・フォーマットを例示する。
【図５】図５は、本開示のある態様にしたがう典型的な支配的干渉シナリオを図示する。
【図６】図６は、本開示のある態様にしたがう、ヘテロジニアスなネットワークにおけるサブフレームの協調的な分割の例を例示する。
【図７】図７は、本開示のある態様にしたがう、２つの基地局（ＢＳ）間のリソース衝突の例を例示する。
【図８】図８は、本開示のある態様にしたがって、ＵＥによって利用可能な、サービス提供していないＢＳからの基準信号（ＲＳ）のサブセットを識別することができる、サービス提供しているＢＳとＵＥとを備えるシステムの例を例示する。
【図９】図９は、本開示のある態様にしたがって、ＢＳから送信されたデータとの衝突を回避しうる、ＵＥによって利用可能なＲＳを識別するための動作の例を例示する。
【図１０】図１０は、本開示のある態様にしたがって、ＢＳから利用可能であると示されたＲＳを用いるための動作の例を例示する。
【発明を実施するための形態】
【００１６】
異なる電力クラスの基地局（ＢＳ）が存在する場合、制御チャネルとデータ・チャネルとの両方において、ユーザ機器（ＵＥ）への干渉を低減するために、異なるＢＳからの送信を調整する必要がありうる。異なる調整方法が存在する。いくつかの実施形態については、時分割多重（ＴＤＭ）リソース分割が、サブフレーム・レベルにおいて、複数のＢＳにわたって実行されうる。ＴＤＭリソース分割は、制御チャネル干渉を回避しうる。なぜなら、制御チャネルのための時間および周波数におけるリソース・マッピングは、周波数領域全体に及びうるからである。しかしながら、ＵＥのデータ・レートは、サブフレームのＴＤＭ分割によって制限されうる。言い換えれば、制限は、制御チャネル干渉調整に由来しうる。いくつかの実施形態については、ＵＥは、以下にさらに詳しく説明されるように、ＵＥのために分割されたサブフレームとは別のサブフレームで送信および／または受信しうる。
【００１７】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割多重（ＦＤＤ）と時分割多重（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書で記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１８】
図１は、サービス提供していないｅＮＢからの利用可能な基準信号を識別するための手順が実行されうる無線通信ネットワーク１００を示す。このネットワーク１００は、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効通信範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１９】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００２０】
無線ネットワーク１００はさらに、リレー局をも含みうる。リレー局は、データの伝送を上流局（例えば、ｅＮＢまたはＵＥ）から受信し、データの伝送を下流局（例えば、ＵＥまたはｅＮＢ）へ送信するエンティティである。リレー局はまた、他のＵＥのための送信を中継するＵＥでもありうる。図１に示される例において、リレー局１１０ｄは、ｅＮＢ１１０ａとＵＥ１２０ｄとの間の通信を容易にするために、マクロｅＮＢ１１０ａおよびＵＥ１２０ｄと通信しうる。リレー局はまた、リレーｅＮＢ、リレー基地局、リレー等とも称されうる。
【００２１】
無線ネットワーク１００はまた、例えば、マクロｅＮＢ、ピコｅＮＢ、フェムトｅＮＢ、リレーｅＮＢ等のような異なるタイプのｅＮＢを含むヘテロジニアスなネットワークでありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、およびリレーｅＮＢは、低い送信電力レベル（例えば、０．１乃至２ワット）を有しうる。
【００２２】
ネットワーク・コントローラ１３０は、ｅＮＢのセットに接続しており、これらｅＮＢのために調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２３】
ある態様によれば、以下により詳しく記載されるように、ｅＮＢは、セル間干渉調整（ＩＣＩＣ）を実行しうる。ＩＣＩＣは、強い干渉元のｅＮＢの近傍に配置されたｅＮＢにリソースを割り当てるリソース調整／区分を達成するための、ｅＮＢ間でのネゴシエーションを含みうる。干渉元のｅＮＢは、恐らくはＣＲＳを除いて、割り当てられた／保護されたリソースにおける送信を回避しうる。その後、ＵＥは、干渉元のｅＮＢの存在下において、保護されたリソースでｅＮＢと通信しうる。そして、（恐らくはＣＲＳを除いて）干渉元のｅＮＢからの干渉を観察しない。
【００２４】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００２５】
図２は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００２６】
基地局１１０では、送信プロセッサ２２０が、１または複数のＵＥのためのデータを、データ・ソース２１２から受け取り、ＵＥから受信したＣＱＩに基づいて、各ＵＥのための１または複数の変調および符号化スキーム（ＭＣＳ）を選択し、ＵＥのために選択されたＭＣＳ（単数または複数）に基づいて、各ＵＥのためのデータを処理（例えば、符号化および変調）し、すべてのＵＥのためのデータ・シンボルを提供しうる。送信プロセッサ２２０はまた、（例えば、ＳＲＰＩ等のための）システム情報および制御情報（例えば、ＣＱＩ要求、許可、上位レイヤ・シグナリング等）を処理し、オーバヘッド・シンボルおよび制御シンボルを提供しうる。プロセッサ２２０はまた、基準信号（例えば、ＣＲＳ）および同期信号（例えば、ＰＳＳおよびＳＳＳ）のための基準シンボルを生成しうる。送信（ＴＸ）複数入力複数出力（ＭＩＭＯ）プロセッサ２３０は、適用可能であれば、データ・シンボル、制御シンボル、オーバヘッド・シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。変調器２３２ａ乃至２３２ｔからのＴ個のダウンリンク信号は、Ｔ個のアンテナ２３４ａ乃至２３４ｔによってそれぞれ送信されうる。
【００２７】
ＵＥ１２０では、アンテナ２５２ａ乃至２５２ｒが、基地局１１０および／またはその他の基地局からダウンリンク信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。以下に記載されるように、チャネル・プロセッサ２８４は、ＲＳＲＰ、ＲＳＳＩ、ＲＳＲＱ、ＣＱＩ等を決定しうる。
【００２８】
アップリンクでは、ＵＥ１２０において、送信プロセッサ２６４が、データ・ソース２６２からデータを、コントローラ／プロセッサ２８０から（例えば、ＲＳＲＰ、ＲＳＳＩ、ＲＳＲＱ、ＣＱＩ等を備えるレポートのための）制御情報を受け取り、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０へ送信される。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得される。プロセッサ２３８は、復号されたデータをデータ・シンク２３９へ提供し、復号された制御情報をコントローラ／プロセッサ２４０へ提供しうる。
【００２９】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、本明細書に記載されているように、さまざまなランダム・アクセス手順のためにＵＥを設定するための動作を実行または指示し、この手順を行っている間、１または複数の属性を識別しうる。例えば、ＵＥ１２０におけるプロセッサ２８０および／またはその他のプロセッサおよびモジュールは、本明細書で説明されたさまざまなランダム・アクセス手順のための動作の実行または指示を行いうる。メモリ２４２，２８２は、基地局１１０およびＵＥ１２０それぞれのためのデータおよびプログラム・コードを格納しうる。スケジューラ２４４は、ダウンリンクおよび／またはアップリンクでのデータ送信のためにＵＥをスケジュールしうる。
【００３０】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、例えば、通常のサイクリック・プレフィクスの場合、７つのシンボル期間を含み、または、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。
【００３１】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００３２】
図４は、通常のサイクリック・プレフィクスを用いたダウンリンクのための典型的なサブフレーム・フォーマット４１０，４２０を示す。ダウンリンクのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。
【００３３】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらのセルＩＤに依存して、同じキャリアまたは別のサブキャリアで、ＣＲＳを送信しうる。サブフレーム・フォーマット４１０，４２０の両方について、ＣＲＳのために使用されていないリソース要素は、データ（例えば、トラフィック・データ、制御データ、および／または、その他のデータ）を送信するために使用されうる。
【００３４】
ＬＴＥにおけるＰＳＳ、ＳＳＳ、ＣＲＳ、およびＰＢＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３５】
ＬＴＥでは、ＦＤＤについて、ダウンリンクおよびアップリンクのおのおののために、インタレース構造が使用されうる。例えば、０乃至Ｑ−１のインデクスを持つＱ個のインタレースが定義される。ここで、Ｑは、４，６，８，１０またはその他いくつかの値に等しい。おのおののインタレースは、Ｑ個のフレームによって間隔を置かれているサブフレームを含みうる。特に、インタレースｑは、サブフレームｑ、ｑ＋Ｑ、ｑ＋２Ｑ等を含みうる。ここでｑ∈｛０，・・・，Ｑ−１｝である。
【００３６】
無線ネットワークは、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００３７】
ＵＥは、複数のｅＮＢの有効通信範囲内に位置しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ）、または基準信号受信品質（ＲＳＲＱ）、またはその他のメトリックによって定量化されうる。ＵＥは、１または複数の干渉元のｅＮＢから高い干渉を観察しうる支配的な干渉シナリオで動作しうる。
【００３８】
図５は、典型的な支配的干渉シナリオを示す。図５に図示される例では、ＵＥ  Ｔは、サービス提供しているｅＮＢ  Ｙと通信し、強い／支配的な干渉元のｅＮＢ  Ｚからの高い干渉を観察しうる。
【００３９】
支配的な干渉シナリオは、制限された関連付けによって生じうる。例えば、図５では、ｅＮＢ  Ｙは、マクロｅＮＢであり、ｅＮＢ  Ｚは、フェムトｅＮＢでありうる。ＵＥ  Ｔ  は、フェムトｅＮＢ  Ｚの近くに位置しており、ｅＮＢ  Ｚについて、高い受信電力を有しうる。しかしながら、ＵＥ  Ｔは、制限された関連付けによって、フェムトｅＮＢ  Ｚへアクセスすることができず、低い受信電力のマクロｅＮＢ  Ｙに接続しうる。ＵＥ  Ｔは、その後、ダウンリンクで、フェムトｅＮＢ  Ｚからの高い干渉を観察し、アップリンクで、フェムトｅＮＢ  Ｚへの高い干渉を引き起こしうる。
【００４０】
支配的な干渉シナリオはまた、範囲拡張によっても生じうる。これは、経路喪失が低く、かつ、ＵＥによって検出されたすべてのｅＮＢの中でも恐らくはＳＩＮＲが低いｅＮＢにＵＥが接続するシナリオである。例えば、図５では、ｅＮＢ  Ｙは、ピコｅＮＢであり、干渉元のｅＮＢ  Ｚは、マクロｅＮＢでありうる。ＵＥ  Ｔは、マクロｅＮＢ  ＺよりもピコｅＮＢ  Ｙの近くに配置され、ピコｅＮＢ  Ｙに関し低い経路喪失しか有さない。しかしながら、ＵＥ  Ｔは、マクロｅＮＢ  Ｚと比較してピコｅＮＢ  Ｙの送信電力レベルが低いことによって、ピコｅＮＢ  Ｙについて、マクロｅＮＢ  Ｚよりも低い受信電力しか有さない。それにも関わらず、ＵＥ  Ｔは、低い経路喪失によって、ピコｅＮＢ  Ｙに接続することが望ましいことがありうる。この結果、ＵＥ  Ｔにとって、所与のデータ・レートの場合、無線ネットワークへの干渉が低くなりうる。
【００４１】
一般に、ＵＥは、任意の数のｅＮＢの有効通信範囲内に位置しうる。１つのｅＮＢが、ＵＥにサービス提供するために選択され、残りのｅＮＢは、干渉元のｅＮＢでありうる。ＵＥは、このように、任意の数の干渉元のｅＮＢを有しうる。明瞭さのために、説明の多くは、サービス提供している１つのｅＮＢ  Ｙと、干渉元の１つのｅＮＢ  Ｚとを備えた図５に示されるシナリオを仮定する。
【００４２】
支配的な干渉シナリオにおける通信は、セル間干渉調整（ＩＣＩＣ）を実行することによってサポートされうる。ＩＣＩＣのある態様によれば、強い干渉元のｅＮＢの近傍に位置するｅＮＢへリソースを割り当てるために、リソース調整／分割が実行されうる。干渉元のｅＮＢは、恐らくはＣＲＳを除いて、割り当てられた／保護されたリソースにおける送信を回避しうる。その後、ＵＥは、干渉元のｅＮＢの存在下において、保護されたリソースでｅＮＢと通信しうる。そして、（恐らくはＣＲＳを除いて）干渉元のｅＮＢからの干渉を観察しない。
【００４３】
一般に、時間リソースおよび／または周波数リソースは、リソース分割によってｅＮＢに割り当てられうる。ある態様によれば、システム帯域幅は、多くのサブ帯域に分割されうる。そして、１または複数のサブ帯域が、ｅＮＢへ割り当てられうる。別の設計では、サブフレームのセットが、ｅＮＢに割り当てられうる。また別の設計では、リソース・ブロックのセットが、ｅＮＢに割り当てられうる。明瞭さのために、以下の説明の多くは、１または複数のインタレースがｅＮＢへ割り当てられうる時分割多重（ＴＤＭ）リソース分割設計を仮定する。割り当てられたインタレース（単数または複数）のサブフレームは、強い干渉元のｅＮＢから、低減された干渉を観察するか、または、まったく干渉を観察しない。
【００４４】
図６は、図５における支配的な干渉シナリオにおける通信をサポートするためのＴＤＭリソース分割の例を示す。図６に示す例では、ｅＮＢ  Ｙは、インタレース０を割り当てられ、ｅＮＢ  Ｚは、例えば、バックホールを介したｅＮＢ間のネゴシエーションによって、準静的または静的な方式で、インタレース７を割り当てられうる。ｅＮＢ  Ｙは、インタレース０のサブフレームでデータを送信しうる。そして、インタレース７のサブフレームでデータを送信することを回避しうる。反対に、ｅＮＢ  Ｚは、インタレース７のサブフレームでデータを送信しうる。そして、インタレース０のサブフレームでデータを送信することを回避しうる。残りのインタレース１乃至６のサブフレームは、ｅＮＢ  Ｙおよび／またはｅＮＢ  Ｚに適応的／動的に割り当てられうる。
【００４５】
表１は、１つの設計にしたがう異なるタイプのサブフレームをリストする。ｅＮＢ  Ｙの観点から、ｅＮＢ  Ｙに割り当てられたインタレースは、干渉元のｅＮＢからの干渉がほとんどまたはまったくない、ｅＮＢ  Ｙによって使用されうる「保護」サブフレーム（Ｕサブフレーム）を含みうる。別のｅＮＢ  Ｚに割り当てられたインタレースは、データ送信のためにｅＮＢ  Ｙによって使用されることができない「禁止」サブフレーム（Ｎサブフレーム）を含みうる。どのｅＮＢにも割り当てられていないインタレースは、異なるｅＮＢによって使用されうる「共通」サブフレーム（Ｃサブフレーム）を含みうる。適応的に割り当てられたサブフレームは、「Ａ」プレフィクスを用いて示され、保護サブフレーム（ＡＵサブフレーム）、または禁止サブフレーム（ＡＮサブフレーム）、または共通サブフレーム（ＡＣサブフレーム）でありうる。また、別のタイプのサブフレームは、別の名前でも称されうる。例えば、保護サブフレームは、予約サブフレーム、割当サブフレーム等と称されうる。  
【表１】
2013534778.tif 000003
【００４６】
ある態様によれば、ｅＮＢは、静的リソース分割情報（ＳＲＰＩ：static resource partitioning information）をＵＥへ送信しうる。ある態様によれば、ＳＲＰＩは、Ｑ個のインタレースのために、Ｑ個のフィールドを備えうる。各インタレースのフィールドは、ｅＮＢに割り当てられ、Ｕサブフレームを含むインタレースを示すために「Ｕ」に設定されうるか、または、別のｅＮＢに割り当てられ、Ｎサブフレームを含むインタレースを示すために「Ｎ」に設定されうるか、または、任意のｅＮＢに適応的に割り当てられ、Ｘサブフレームを含むインタレースを示すために「Ｘ」に設定されうる。ＵＥは、ｅＮＢからＳＲＰＩを受信し、ＳＲＰＩに基づいて、ｅＮＢに関するＵサブフレームおよびＮサブフレームを識別しうる。ＳＲＰＩにおいて「Ｘ」としてマークされている各インタレースについて、ＵＥは、このインタレースにおけるＸサブフレームがＡＵサブフレームになるか、ＡＮサブフレームになるか、またはＡＣサブフレームになるかを知らない場合がありうる。ＵＥは、ＳＲＰＩによるリソース分割の準静的部分しか知らないのに対し、ｅＮＢは、リソース分割の準静的部分と適応部分との両方を知りうる。図６に示される例では、ｅＮＢ  ＹのＳＲＰＩは、インタレース０について「Ｕ」を含み、残りのおのおののインタレースについて「Ｘ」を含みうる。ｅＮＢ  ＺのＳＲＰＩは、インタレース７について「Ｕ」を含み、インタレース０について「Ｎ」を含み、残りのおのおののインタレースについて「Ｘ」を含みうる。
【００４７】
ＵＥは、サービス提供しているｅＮＢからのＣＲＳに基づいて、サービス提供しているｅＮＢの受信信号品質を推定しうる。ＵＥは、受信信号品質に基づいてＣＱＩを決定し、このＣＱＩを、サービス提供しているｅＮＢへレポートしうる。サービス提供しているｅＮＢは、リンク適応ためにこのＣＱＩを用い、ＵＥへのデータ送信のための変調および符号化スキーム（ＭＣＳ）を選択する。異なるタイプのサブフレームは、異なる量の干渉を有しうるので、非常に異なるＣＱＩを有しうる。特に、保護サブフレーム（例えば、ＵサブフレームおよびＡＵサブフレーム）は、良好なＣＱＩによって特徴付けられうる。なぜなら、支配的な干渉元のｅＮＢは、これらサブフレームでは送信しないからである。対照的に、１または複数の支配的な干渉元のｅＮＢが送信しうる（例えば、Ｎサブフレーム、ＡＮサブフレーム、およびＡＣサブフレームのような）その他のサブフレームの場合、ＣＱＩは、格段に悪化しうる。ＣＱＩの観点から、ＡＵサブフレームは、Ｕサブフレームと等価でありうる（ともに、保護されている）。そして、ＡＮサブフレームは、Ｎサブフレームと等価でありうる（ともに、禁止されている）。ＡＣサブフレームは、完全に異なるＣＱＩによって特徴付けられうる。良好なリンク適応パフォーマンスを達成するために、サービス提供しているｅＮＢは、トラフィック・データをＵＥへ送信する各サブフレームについて、比較的正確なＣＱＩを有していなければならない。
【００４８】
（ＬＴＥ−Ａのためのヘテロジニアスなネットワークにおける制御／データ分割スキームの方法）  
異なる電力クラスのｅＮＢが存在する場合、制御チャネルとデータ・チャネルとの両方において、ＵＥへの干渉を低減するために、異なるｅＮＢからの送信を調整する必要がありうる。異なる調整方法が存在する。いくつかの実施形態については、時分割多重（ＴＤＭ）リソース分割が、サブフレーム・レベルにおいて、複数のｅＮＢに対して実行されうる。ＴＤＭリソース分割は、制御チャネル干渉を回避しうる。なぜなら、制御チャネルのための時間および周波数におけるリソース・マッピングは、周波数領域全体に及びうるからである。しかしながら、ＵＥのデータ・レートは、サブフレームのＴＤＭ分割によって制限されうる。言い換えれば、制限は、制御チャネル干渉調整に由来しうる。いくつかの実施形態については、ＵＥは、以下にさらに詳しく説明されるように、ＵＥのために分割されたサブフレームとは別のサブフレームで送信および／または受信しうる。
【００４９】
いくつかの実施形態については、ＴＤＭリソース分割が、サブフレーム・レベルにおいて、複数のｅＮＢにわたって実行されうる。例えば、２つの異なる電力クラスを有しうる２つのｅＮＢ間で、サブフレームのＴＤＭ分割が存在しうる。この分割は、８の周期でありうる。例えば、図５を参照して、ＵＥ  Ｔは、サービス提供しているｅＮＢ  Ｙと通信しており、強い／支配的な干渉元のｅＮＢ  Ｚからの高い干渉を観察しうる。
【００５０】
図７は、図５における支配的な干渉シナリオにおける通信をサポートするためのＴＤＭリソース分割の例を例示する。図７に示される例において、ｅＮＢ  Ｙは、サブフレーム０−３を割り当てられうる。そして、ｅＮＢ  Ｚは、例えば、バックホールを介したｅＮＢ間のネゴシエーションによって、準静的または静的な方式で、インタレース４−７を割り当てられうる。ｅＮＢ  Ｙは、サブフレーム０−３でデータを送信し、サブフレーム４−７でデータを送信することを回避しうる。反対に、ｅＮＢ  Ｚは、サブフレーム４−７でデータを送信し、サブフレーム０−３でデータを送信することを回避しうる。
【００５１】
ＵＥ  Ｔは、ＴＤＭ分割スキームを用いて、サブフレーム｛０，１，２，および３｝からＤＬ／ＵＬ許可を受信しうる。いくつかの実施形態については、ＵＥ  Ｔは、サブフレーム｛０，１，２，および３｝においてＤＬ／ＵＬ許可（例えば、ＰＤＣＣＨ）を受信しうるが、これら許可は、ｅＮＢ  Ｚへ割り当てられたサブフレーム｛４，５，６，および７｝において使用されうる（すなわち、サブフレーム間割当）。図７に示すように、ＵＥ  Ｔは、サブフレーム４におけるＰＤＳＣＨの代わりに、サブフレーム０におけるＰＤＣＣＨを受信しうる。しかしながら、（ｅＮＢ  ＹおよびｅＮＢ  ＺのＣＲＳ周波数シフトが異なっており、この周波数シフトが、セルＩＤに応じている場合、）サブフレーム４で受信されたＰＤＳＣＨは、サブフレーム４におけるｅＮＢ  Ｚの基準信号（例えば、共通基準信号（ＣＲＳ））にインパクトを与えうる。言い換えれば、ＵＥ  ＴがｅＮＢ  Ｚから受信した基準信号（ＲＳ）は、ノイズが多すぎ、ｅＮＢ  Ｚのラジオ・リソース管理（ＲＲＭ）測定を実行するには不適切でありうる（例えば、ｅＮＢ  ＺからのＲＳは、図７に例示されているように、ｅＮＢ  ＹからのＰＤＳＣＨと衝突しうる）。
【００５２】
別の例として、サブフレーム｛４，５，６，および７｝におけるｅＮＢ  ＹからのＣＲＳは、ＵＥ  Ｔが、ｅＮＢ  ＹからのＰＤＳＣＨの復調または復号のためにＣＲＳを用いる必要がある場合、ｅＮＢ  ＺからのＰＤＳＣＨによってインパクトを受けうる。言い換えれば、ＵＥ  ＴがｅＮＢ  Ｙから受信するＲＳは、ノイズが多すぎて、ｅＮＢ  Ｙから送信されたサブフレーム間ＰＤＳＣＨを復調／復号するためのサービス提供セル・チャネル推定を行うことができない。
【００５３】
いくつかの実施形態については、前述したように、ｅＮＢは、ＴＤＭ分割によって、制御チャネルにおけるサブフレームを調節しうる。さらに、ｅＮＢは、ＵＥが関連付けられているｅＮＢ（すなわち、サービス提供セル）に割り当てられていないサブフレームでデータを送信または復号できるように、サブフレーム間割当を適用しうる。さらに、ｅＮＢは、これらサブフレームにおける測定（例えば、基準信号受信電力（ＲＳＲＰ）／ＲＬＭ／ＣＱＩ）および／または復調／復号のために、ＵＥに対して、ＣＲＳまたはチャネル状態情報基準信号（ＣＳＩ−ＲＳ）（連続または不連続）のサブチャネルを用いるように（例えば、レイヤ３シグナリングまたはレイヤ１シグナリングによって）指示しうる。ここで、ＰＤＣＣＨ許可は、サブフレーム間割当からのものでありうる。
【００５４】
ＵＥ受信機の観点から、ＵＥは、これらのサブフレームにおけるチャネル推定のために、ＣＲＳのサブセットを使用しうる。ここで、ＰＤＣＣＨ許可は、サブフレーム間割当からのものでありうる。ＣＲＳ周波数シフトが、サービス提供しているｅＮＢおよびサービス提供していないｅＮＢからものとは異なる場合、ＵＥは、ＣＲＳのサブセットを使用しうる。ＣＲＳ周波数シフトが、サービス提供しているｅＮＢおよびサービス提供していないｅＮＢからものと同じである場合、ＵＥは、チャネル推定のために、ＣＲＳのセット全体を使用しうる。図７に戻って、ＵＥ  Ｔは、ｅＮＢ  Ｙから受信したＰＤＳＣＨと衝突することなく、ｅＮＢ  Ｚから、ＲＳのサブセットを受信しうる。これによって、ＵＥ  Ｔは、ｅＮＢ  ＺのＲＲＭ測定を実行することが可能となる。別の例として、図７に戻って、ＵＥ  Ｔは、（図示しない）ｅＮＢ  Ｚから送信されたＰＤＳＣＨと衝突することなく、ｅＮＢ  Ｙから、ＲＳのサブセットを受信しうる。これによって、ＵＥ  Ｔは、ｅＮＢ  Ｙから送信されたサブフレーム間ＰＤＳＣＨを復調／復号するために、サービス提供セル・チャネル推定を実行できるようになる。
【００５５】
図８は、以下にさらに詳しく説明されるように、ＵＥ８２０によって利用可能であるサービス提供していないＢＳからの基準信号（ＲＳ）のサブセットを識別することが可能な、サービス提供している基地局（ＢＳ）８１０と、ユーザ機器（ＵＥ）８２０とを備えたシステム８００の例を例示する。前述したように、ＵＥ８２０は、サービス提供しているＢＳ８１０に割り当てられたサブフレームで、ＤＬ／ＵＬ許可を受信しうるが、この許可は、サービス提供していないＢＳに割り当てられたサブフレーム（すなわち、サブフレーム間割当）で使用されうる。したがって、サービス提供していないＢＳからのＲＳは、サービス提供しているＢＳ８１０から送信されたデータ（例えば、ＰＤＳＣＨ）と衝突しうる。いくつかの実施形態については、サービス提供しているＢＳ８１０は、サービス提供しているＢＳ８１０から送信されたデータとの衝突を回避しうる、サービス提供していないＢＳからの利用可能なＲＳを識別しうる。例示されているように、サービス提供しているＢＳ８１０は、利用可能なＲＳを識別する信号を生成するためのメッセージ生成モジュール８１４を含みうる。ここでは、送信機モジュール８１２を経由して、（例えば、レイヤ３シグナリングまたはレイヤ１シグナリングによって、）ＵＥ８２０へ信号が送信されうる。
【００５６】
ＵＥ８２０は、この信号を受信し、受信機モジュール８２６を経由して、サービス提供していないＢＳからのＲＳを受信しうる。ＵＥ８２０は、サービス提供していないＢＳからの、利用可能なＲＳ（すなわち、サービス提供していないＢＳからのＲＳのサブセット）をＲＳ処理モジュール８２４によって処理し、サービス提供していないＢＳからの、利用可能なＲＳを用いてＲＲＭを実行しうる。ＲＲＭ測定を実行した後に、ＵＥ８２０は、送信機モジュール８２２を経由してフィードバックを送信し、サービス提供しているＢＳ８１０は、受信機モジュール８１６を経由してフィードバックを受信しうる。
【００５７】
いくつかの実施形態については、サービス提供しているＢＳは、（図示しない）サービス提供していないＢＳから送信されたデータ（例えば、ＰＤＳＣＨ）との衝突を回避しうる、サービス提供しているＢＳ８１０からの利用可能なＲＳを識別する信号を生成しうる。ＵＥ８２０は、この信号を受信し、サービス提供しているＢＳからのＲＳを受信しうる。ＵＥ８２０は、利用可能なＲＳを用いて、サービス提供しているＢＳ８１０から送信されたサブフレーム間ＰＤＳＣＨを復調／復号するために、サービス提供セル・チャネル推定を実行しうる。
【００５８】
図９は、本開示のある態様にしたがって、ノードＢから送信されたデータとの干渉を回避しうる、ＵＥによって利用可能なＲＳを識別するための動作９００の例を例示する。動作９００は、例えば、サービス提供しているノードＢによって実行されうる。９０２では、サービス提供しているノードＢと、１または複数のサービス提供していないノードＢとの間でのリソースの協調的な分割によって保護されているサブフレームを、サービス提供しているノードＢが識別しうる。９０４では、１または複数のサービス提供していないノードＢに割り当てられたサブフレームのサブセット（すなわち、サブフレーム間割当）におけるダウンリンク送信に関する許可メッセージを、サービス提供しているノードＢが、サービス提供しているノードＢに割り当てられたサブフレームで送信しうる。９０６では、サブフレームのサブセットで送信されるべき、ＵＥによって利用可能な１または複数のＲＳを、サービス提供しているノードＢが識別しうる。サービス提供しているノードＢは、レイヤ３シグナリングまたはレイヤ１シグナリングのうちの少なくとも１つによって、１または複数のＲＳを使用するようにＵＥに対してシグナルしうる。いくつかの実施形態については、ＵＥは、サービス提供していないノードＢのＲＲＭ測定を実行するために、サービス提供していないノードＢから送信された１または複数のＲＳを使用しうる。いくつかの実施形態については、ＵＥは、サービス提供しているノードＢから送信されたサブフレーム間ダウンリンク送信（例えば、ＰＤＳＣＨ）を復調／復号するために、サービス提供しているノードＢから送信された１または複数のＲＳを用いて、サービス提供セル・チャネル推定を実行しうる。１または複数のＲＳは、連続または不連続でありうる。
【００５９】
図１０は、本開示のある態様にしたがって、ノードＢから利用可能であると示されたＲＳを用いるための動作１０００の例を例示する。この動作１０００は、例えば、ＵＥによって実行されうる。１００２では、ＵＥは、１または複数のサービス提供していないノードＢに割り当てられたサブフレームのサブセットにおけるダウンリンク送信のための許可メッセージを、サービス提供しているノードＢに割り当てられたサブフレームで受信しうる。１００４において、ＵＥは、サブフレームのサブセットで受信されるべき、ユーザ機器（ＵＥ）によって利用可能な１または複数のＲＳを示す信号を受信しうる。いくつかの実施形態については、ＵＥは、サービス提供していないノードＢから送信された１または複数のＲＳを用いて、サブフレームのサブセットにおけるＲＲＭ測定を実行しうる。いくつかの実施形態については、ＵＥは、サブフレームのサブセットにおいて、サービス提供しているノードＢからのダウンリンクを復調および復号するために、サービス提供しているノードＢから送信された１または複数のＲＳを使用して、チャネル推定を実行する。
【００６０】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６２】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６３】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６４】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００６５】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013534778.tif 000004
【図２】
2013534778.tif 000005
【図３】
2013534778.tif 000006
【図４】
2013534778.tif 000007
【図５】
2013534778.tif 000008
【図６】
2013534778.tif 000009
【図７】
2013534778.tif 000010
【図８】
2013534778.tif 000011
【図９】
2013534778.tif 000012
【図１０】
2013534778.tif 000013
【国際調査報告】
2013534778.tif 000014
2013534778.tif 000015